(57)【要約】【課題】不具合が生じやすい状態で使用されていることを通知することができる電球形ランプを提供する。【解決手段】発光モジュール２５を備える電球形ランプ２０は、電球形ランプ２０の温度を計測する温度センサ３１と、電球形ランプ２０の外部に設けられた制御装置１０と無線通信を行う第一無線通信部２４とを備える。また、電球形ランプ２０は、温度センサ３１が計測した電球形ランプの温度が所定温度以上であることを検知した場合に、電球形ランプ２０の温度が所定温度以上であることを示す通知情報を第一無線通信部２４に送信させる第一制御部２３を備える。【選択図】図１
2017091622.tif 000002
【特許請求の範囲】
【請求項１】
光源を備える電球形ランプであって、
前記電球形ランプの温度を計測する温度センサと、
前記電球形ランプの外部に設けられた通信装置と無線通信を行う無線通信部と、
前記温度センサが計測した前記電球形ランプの温度が所定温度以上であることを検知した場合に、前記電球形ランプの温度が前記所定温度以上であることを示す通知情報を前記無線通信部に送信させる制御部とを備える
電球形ランプ。
【請求項２】
前記制御部は、前記温度センサが計測した前記電球形ランプの温度が前記所定温度以上であることを検知した場合に、さらに、前記光源を消灯する
請求項１に記載の電球形ランプ。
【請求項３】
前記制御部は、前記温度センサが計測した前記電球形ランプの温度が前記所定温度以上であることを検知した場合に、さらに、前記光源を暗く調光する
請求項１に記載の電球形ランプ。
【請求項４】
さらに、出音部を備え、
前記制御部は、前記温度センサが計測した前記電球形ランプの温度が所定温度以上であることを検知した場合に、前記通知情報を前記無線通信部に送信させ、さらに、前記出音部に出音させる
請求項１〜３のいずれか１項に記載の電球形ランプ。
【請求項５】
さらに、前記光源の点灯時間を計測するためのタイマ部を備え、
前記制御部は、さらに、
前記タイマ部を用いて前記光源の累積点灯時間を計測し、
前記温度センサが計測した温度に応じて前記累積点灯時間を補正し、
補正後の累積点灯時間が所定時間以上であることを検知した場合に、前記電球形ランプの寿命に関する通知を行うための寿命通知情報を前記無線通信部に送信させる
請求項１〜４のいずれか１項に記載の電球形ランプ。
【請求項６】
さらに、前記光源の劣化度を計測する計測部を備え、
前記制御部は、さらに、前記劣化度が所定の範囲外であることを検知した場合に、前記電球形ランプの寿命に関する通知を行うための寿命通知情報を前記無線通信部に送信させる
請求項１〜４のいずれか１項に記載の電球形ランプ。
【請求項７】
さらに、前記光源を発光させるための回路部品の劣化度を計測する計測部を備え、
前記制御部は、さらに、前記劣化度が所定の範囲外であることを検知した場合に、前記電球形ランプの寿命に関する通知を行うための寿命通知情報を前記無線通信部に送信させる
請求項１〜４のいずれか１項に記載の電球形ランプ。
【請求項８】
光源を備える電球形ランプと、
前記電球形ランプの外部に設けられた通信装置とを備え、
前記電球形ランプは、
前記電球形ランプの温度を計測する温度センサと、
前記通信装置と無線通信を行う第一無線通信部と、
前記温度センサが計測した前記電球形ランプの温度が所定温度以上であることを検知した場合に、前記電球形ランプの温度が前記所定温度以上であることを示す通知情報を前記第一無線通信部に送信させる第一制御部とを備え、
前記通信装置は、
表示部と、
前記第一無線通信部が送信した前記通知情報を受信する第二無線通信部と、
前記第二無線通信部が受信した前記通知情報に基づいて前記表示部に画像を表示させる第二制御部とを備える
照明システム。
【発明の詳細な説明】
【技術分野】
【０００１】
本発明は、通信機能を有する電球形ランプ、及び、当該電球形ランプを備える照明システムに関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、高効率で省スペースな光源として照明用途またはディスプレイ用途等の各種の照明装置に広く利用されている。例えば、特許文献１には、ＬＥＤが使用された電球形ランプが開示されている。
【先行技術文献】
【特許文献】
【０００３】
【特許文献１】特開２０１１−２２８１５１号公報
【発明の概要】
【発明が解決しようとする課題】
【０００４】
電球形ランプは、当該電球形ランプが有する口金に対応するソケットを有する照明器具であれば、どのような照明器具にも取り付けることが可能である。ここで、電球形ランプが放熱性の悪い照明器具に取り付けられた場合には、当該電球形ランプは、温度が高い環境で使用されることになり、不具合が生じやすくなる。
【０００５】
そこで、本発明は、不具合が生じやすい状態で使用されていることを通知することができる電球形ランプ、及び、当該電球形ランプを備える照明システムを提供する。
【課題を解決するための手段】
【０００６】
本発明の一態様に係る電球形ランプは、光源を備える電球形ランプであって、前記電球形ランプの温度を計測する温度センサと、前記電球形ランプの外部に設けられた通信装置と無線通信を行う無線通信部と、前記温度センサが計測した前記電球形ランプの温度が所定温度以上であることを検知した場合に、前記電球形ランプの温度が前記所定温度以上であることを示す通知情報を前記無線通信部に送信させる制御部とを備える。
【０００７】
本発明の一態様に係る照明システムは、光源を備える電球形ランプと、前記電球形ランプの外部に設けられた通信装置とを備え、前記電球形ランプは、前記電球形ランプの温度を計測する温度センサと、前記通信装置と無線通信を行う第一無線通信部と、前記温度センサが計測した前記電球形ランプの温度が所定温度以上であることを検知した場合に、前記電球形ランプの温度が前記所定温度以上であることを示す通知情報を前記第一無線通信部に送信させる第一制御部とを備え、前記通信装置は、表示部と、前記第一無線通信部が送信した前記通知情報を受信する第二無線通信部と、前記第二無線通信部が受信した前記通知情報に基づいて前記表示部に画像を表示させる第二制御部とを備える。
【発明の効果】
【０００８】
本発明の電球形ランプ及び照明システムは、不具合が生じやすい状態で使用されていることを通知することができる。
【図面の簡単な説明】
【０００９】
【図１】図１は、実施の形態に係る照明システムの機能構成を示すブロック図である。
【図２】図２は、発光装置を備える照明装置の外観図である。
【図３】図３は、発光装置の部分断面図である。
【図４】図４は、実施の形態に係る照明システムの動作例１のシーケンス図である。
【図５】図５は、動作例１において表示部に表示される画像の一例を示す図である。
【図６】図６は、電球形ランプの寿命が短くなる旨のメッセージが含まれる画像の一例を示す図である。
【図７】図７は、実施の形態に係る照明システムの動作例２のシーケンス図である。
【図８】図８は、動作例２において表示部に表示される画像の一例を示す図である。
【図９】図９は、実施の形態に係る照明システムの動作例３のシーケンス図である。
【図１０】図１０は、動作例３において表示部に表示される画像の一例を示す図である。
【図１１】図１１は、実施の形態に係る照明システムの寿命通知動作のシーケンス図である。
【図１２】図１２は、変形例１において表示部に表示される画像の一例を示す図である。
【図１３】図１３は、変形例２に係る照明システムの機能構成を示すブロック図である。
【図１４】図１４は、発光モジュールの劣化度の計測方法を説明するための回路図である。
【図１５】図１５は、コンデンサの劣化度の計測方法を説明するための回路図である。
【図１６】図１６は、コンデンサの劣化度の計測方法を説明するためのグラフである。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［照明システムの構成］
まず、実施の形態に係る照明システムの構成について説明する。図１は、実施の形態に係る照明システムの機能構成を示すブロック図である。
【００１３】
図１に示されるように、実施の形態に係る照明システム１００は、制御装置１０と、電球形ランプ２０とを備える。また、図１には、電球形ランプ２０に交流電力を供給する電力系統７０も図示されている。
【００１４】
制御装置１０は、通信装置の一例であって、電球形ランプ２０の外部に設けられる。制御装置１０は、電球形ランプ２０を制御するために、ユーザが操作する装置であって、電球形ランプ２０に制御信号を送信することにより電球形ランプ２０の発光制御を行う。制御装置１０は、具体的には、例えば、スマートフォン及びタブレット端末などの情報通信端末（携帯端末）であるが、電球形ランプ２０に対応した専用のリモートコントローラであってもよい。
【００１５】
電球形ランプ２０は、制御装置１０から送信される制御信号に応じて発光する照明用光源である。また、実施の形態では、電球形ランプ２０は、電球形ランプ２０の温度が所定温度以上であることを検知した場合に、電球形ランプ２０の温度が所定温度以上であることを示す通知情報を制御装置１０に送信する。このように、電球形ランプ２０は、通信機能を有する照明用光源である。
【００１６】
［電球形ランプ］
まず、電球形ランプ２０について、図１に加えて図２及び図３を参照しながら説明する。図２は、電球形ランプ２０を備える照明装置５０の外観図である。図３は、電球形ランプ２０の部分断面図（模式図）である。なお、図１に示される構成要素の一部は、図２及び図３においては図示されていないことがある。
【００１７】
図２に示されるように、照明装置５０は、例えば、室内の天井６０に取り付けられて使用される。照明装置５０は、電球形ランプ２０と、照明器具４０とを備える。照明器具４０は、器具本体４１と、ランプシェード４２とを備える。
【００１８】
器具本体４１は、天井６０に取り付けられる、ソケット４１ａを有する。ソケット４１ａは、照明用の電力供給部の一例である。ソケット４１ａには、電球形ランプ２０の口金２１がねじ込まれ、電球形ランプ２０には、ソケット４１ａを介して電力系統７０から交流電力が供給される。
【００１９】
ランプシェード４２は、例えば、透光性を有する樹脂、又は、透光性を有するガラスにより形成され、電球形ランプ２０の周囲を覆う。
【００２０】
図１、図２、及び図３に示されるように、電球形ランプ２０は、口金２１と、電力変換部２２と、第一制御部２３と、第一無線通信部２４と、発光モジュール２５と、筐体２６と、グローブ２７と、回路ケース２８と、基板２９と、第一記憶部３０とを備える。また、電球形ランプ２０は、温度センサ３１と、タイマ部３２と、第一スピーカ３３とを備える。
【００２１】
なお、第一制御部２３、第一無線通信部２４、及び、回路ケース２８は、図３において破線で図示されている。第一無線通信部２４には、基板２９に実装された、アンテナ２４ａ及び通信回路２４ｂが含まれる。
【００２２】
図２及び図３に示されるように、電球形ランプ２０の外囲器は、口金２１と、筐体２６と、グローブ２７とによって構成される。当該外囲器内には、発光モジュール２５と、電力変換部２２、第一制御部２３、第一無線通信部２４、アンテナ２４ａ、及び温度センサ３１が実装された基板２９と、回路ケース２８とが収容されている。
【００２３】
グローブ２７は、発光モジュール２５から放出される光をランプ外部に放射させるための半球状の透光性カバーである。グローブ２７は、例えば、樹脂又はガラスにより形成される。グローブ２７の内側には、基板２９の一部（アンテナ２４ａ及び通信回路２４ｂが実装された部分）と、発光モジュール２５と、回路ケース２８とが配置されている。つまり、基板２９の一部と、発光モジュール２５と、回路ケース２８とは、グローブ２７によって覆われている。グローブ２７の内面に入射した発光モジュール２５の光は、グローブ２７を透過してグローブ２７の外部に取り出される。
【００２４】
筐体２６は、グローブ２７と、口金２１との間に配置され、基板２９の一部（電力変換部２２及び第一制御部２３が実装された部分）を収容する。筐体２６は、両端が開口するケースであって、グローブ側から口金側へ向けて縮径した略円筒形状である略円錐台部材によって構成されている。筐体２６は、例えば、アルミダイキャストなどの金属により形成されるが、樹脂により形成されてもよい。
【００２５】
回路ケース２８は、基板２９のうち、グローブ２７側に位置する部分を覆う樹脂製のケースである。
【００２６】
口金２１は、発光モジュール２５が発光するための電力が外部から供給される金属部材である。口金２１は、二接点によって交流電力を受電するための受電部であり、照明器具４０のソケット４１ａに取り付けられる。口金２１は、電球形ランプ２０に対応した構造の照明用の電力供給部（例えば、ソケット４１ａ）から電力の供給を受けるために、当該照明用の電力供給部に着脱自在に取り付けられる。
【００２７】
口金２１は、例えば、ねじ込み型のエジソンタイプ（Ｅ型）のように規格化された構造（形状及び大きさ）の口金である。したがって、口金２１は、照明器具４０などの既存の照明器具に容易に取り付けられることができる。なお、口金２１は、給電用のワイヤにより、電力変換部２２と電気的に接続されている。
【００２８】
電力変換部２２は、照明器具４０から供給される交流電力を直流電力に変換して第一制御部２３及び第一無線通信部２４に供給する。電力変換部２２は、具体的には、例えば、４つのダイオードで構成されるブリッジ型全波整流回路などを含む電源回路により実現されるが、ＡＣ−ＤＣコンバータＩＣ及びＤＣ−ＤＣコンバータＩＣなどによって実現されてもよい。
【００２９】
第一制御部２３は、電力変換部２２から供給される電力によって動作する。第一制御部２３は、制御装置１０の第二無線通信部１２によって送信され、かつ、第一無線通信部２４によって受信された制御信号に基づいて発光モジュール２５の発光制御を行う。発光制御には、点灯、消灯、調光制御、及び、調色制御などが含まれる。
【００３０】
また、実施の形態では、第一制御部２３は、温度センサ３１が計測した電球形ランプ２０の温度が所定温度以上であることを検知した場合に、電球形ランプ２０の温度が所定温度以上であることを示す通知情報を第一無線通信部２４に制御装置１０あてに送信させる。これにより、制御装置１０を操作するユーザは、電球形ランプ２０の温度が上昇したことを知ることができる。
【００３１】
第一制御部２３は、具体的には、マイクロコンピュータ、プロセッサ、または専用回路によって実現される。なお、第一制御部２３が発光モジュール２５の調光機能または調色機能に対応している場合、第一制御部２３は、チョッパ制御回路等を含む。
【００３２】
チョッパ制御回路は、第一無線通信部２４によって受信された制御信号に応じてスイッチング制御状態を変更し、発光モジュール２５に供給する電力を調整する回路である。チョッパ制御回路は、具体的には、ＰＷＭ（Ｐｕｌｓｅ  Ｗｉｄｔｈ  Ｍｏｄｕｌａｔｉｏｎ）回路や、ＰＦＭ（Ｐｕｌｓｅ  Ｆｒｅｑｕｅｎｃｙ  Ｍｏｄｕｌａｔｉｏｎ）回路などである。なお、調色機能は、発光モジュール２５において発光色の異なる２種類のＬＥＤ素子が実装され、これら２種類のＬＥＤ素子がそれぞれ調光されることにより実現される。
【００３３】
第一無線通信部２４は、制御装置１０の第二無線通信部１２と無線通信を行う。第一無線通信部２４は、例えば、第二無線通信部１２によって無線送信される制御信号を受信する。第一無線通信部２４は、基板２９に実装されたパターンアンテナであるアンテナ２４ａと、基板２９に実装された通信回路２４ｂとからなる通信モジュールである。なお、アンテナ２４ａは、パターンアンテナに限定されず、チップアンテナなどであってもよい。また、アンテナ２４ａは、外囲器の外側に配置されてもよい。
【００３４】
また、実施の形態では、第一無線通信部２４は、第一制御部２３の制御に基づいて、電球形ランプ２０の温度が所定温度以上であることを示す通知情報を制御装置１０の第二無線通信部１２に無線送信する。
【００３５】
第一無線通信部２４は、例えば、特定小電力無線、ｂｌｕｅｔｏｏｔｈ（登録商標）、ＺｉｇＢｅｅ（登録商標）、または無線ＬＡＮ（例えば、Ｗｉ−Ｆｉ（登録商標））などの通信規格に対応した通信モジュールである。第一無線通信部２４は、赤外線により通信を行う通信モジュールであってもよいし、微弱無線通信を行うＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）モジュールであってもよい。
【００３６】
発光モジュール２５は、光源の一例であって、略円環状の基板２５ｂの一方の主面（グローブ２７側の主面）に複数のＬＥＤ素子２５ａが実装されることに形成される。発光モジュール２５は、第一制御部２３から供給される直流電力により主としてグローブ２７側に向かって発光する。第一制御部２３と発光モジュール２５とは図示されないケーブルによって電気的に接続されている。
【００３７】
基板２５ｂは、円環板状であり、ＬＥＤ素子２５ａが実装された主面がグローブ２７側を向くように筐体２６に載置される。基板２５ｂは、例えば、樹脂基板、メタルベース基板またはセラミック基板などである。基板２５ｂの主開口には、アンテナ２４ａをグローブ２７側に配置するために基板２９が挿通される。
【００３８】
ＬＥＤ素子２５ａは、例えば、凹部を有する樹脂製の容器と、凹部の中に実装されたＬＥＤチップと、凹部内に封入された封止部材（蛍光体含有樹脂）とを有するＳＭＤ（Ｓｕｒｆａｃｅ  Ｍｏｕｎｔ  Ｄｅｖｉｃｅ）構造のＬＥＤ素子であり、白色光を発する。このように、実施の形態では、発光モジュール２５は、ＳＭＤ構造であるが、基板２５ｂに直接実装されたＬＥＤチップが封止部材で封止されたＣＯＢ（Ｃｈｉｐ  Ｏｎ  Ｂｏａｒｄ）構造の発光モジュールであってもよい。
【００３９】
また、発光モジュール２５が発する光は、昼光色、昼白色、または電球色などの白色光であるが、発光モジュール２５が発する光の色は特に限定されない。
【００４０】
基板２９は、電力変換部２２、第一制御部２３、アンテナ２４ａ、通信回路２４ｂ、及び、温度センサ３１などが実装される基板である。基板２９は、例えば、樹脂基板、メタルベース基板またはセラミック基板などである。
【００４１】
第一記憶部３０は、半導体メモリなどの記憶装置である。例えば、制御装置１０と電球形ランプ２０とが無線のペアリングなどを行う場合には、第一記憶部３０には、制御装置１０のアドレスなど、ペアリングに必要な情報が記憶される。また、例えば、第一制御部２３がプロセッサとして実現される場合、第一記憶部３０には、当該プロセッサにより実行されるプログラムが記憶される。
【００４２】
温度センサ３１は、センサの一例であって、電球形ランプ２０の温度を計測する。温度センサ３１は、具体的には、サーミスタまたは熱電対などを含む素子により実現される。
【００４３】
実施の形態では、温度センサ３１は、基板２９に実装されるが、温度センサ３１の配置は特に限定されない。温度センサ３１は、なるべく発光モジュール２５の温度と温度変化の傾向が近い場所に設けられるとよく、例えば、基板２９のうち発光モジュール２５の近傍に実装される。
【００４４】
タイマ部３２は、時間を計測し、第一制御部２３に通知する。タイマ部３２は、単位時間ごとに、当該単位時間が経過したことを示すタイマ信号を第一制御部２３に通知する。これにより、第一制御部２３は、発光モジュール２５の点灯時間を計測することができる。タイマ部３２は、具体的には、汎用のタイマＩＣ（タイマ回路）である。なお、タイマ部３２は、必須の構成要素ではなく、電球形ランプ２０は、タイマ部３２を備えなくてもよい。
【００４５】
第一スピーカ３３は、出音部の一例であって、温度センサ３１が計測した電球形ランプ２０の温度が所定温度以上であることを検知した場合に、第一制御部２３の制御に基づいて警告音を出力する。なお、第一スピーカ３３は、必須の構成要素ではなく、電球形ランプ２０は、第一スピーカ３３を備えなくてもよい。
【００４６】
［制御装置］
次に、制御装置１０について、図１を参照しながら説明する。図１に示されるように、制御装置１０は、表示部１１と、アンテナ１２ａを含む第二無線通信部１２と、第二制御部１３と、第二記憶部１４と、第二スピーカ１５とを有する。
【００４７】
表示部１１は、画像を表示する。表示部１１は、具体的には、液晶パネルまたは有機ＥＬパネルなどの表示パネルによって構成される。実施の形態では、表示部１１には、表示パネルに加えてタッチパネルが含まれ、タッチパネルは、ユーザの操作を受け付ける受付部として機能する。なお、制御装置１０が専用のリモコンなどである場合は、表示部１１とは別にハードウェアスイッチ（ハードウェアボタン）などの受付部が設けられてもよい。
【００４８】
第二無線通信部１２は、アンテナ１２ａと、通信回路（図１〜図３において図示せず）とからなる通信モジュールである。第二無線通信部１２は、第二制御部１３の制御に基づいて第一無線通信部２４に制御信号を無線送信する。
【００４９】
また、実施の形態では、第二無線通信部１２は、第一無線通信部２４によって送信される通知情報を電球形ランプ２０の第一無線通信部２４から受信する。
【００５０】
第二無線通信部１２は、例えば、特定小電力無線、ｂｌｕｅｔｏｏｔｈ（登録商標）、ＺｉｇＢｅｅ（登録商標）、または無線ＬＡＮ（例えば、Ｗｉ−Ｆｉ（登録商標））などの通信規格に対応した通信モジュールである。第二無線通信部１２は、赤外線により通信を行う通信モジュールであってもよいし、微弱無線通信を行うＵＡＲＴモジュールであってもよい。
【００５１】
第二制御部１３は、ユーザの上記タッチパネルへの操作に基づいて第二無線通信部１２に制御信号を送信させる。また、第二制御部１３は、第二無線通信部１２が受信した通知情報に基づいて、表示部１１に画像を表示させる。第二制御部１３は、具体的には、マイクロコンピュータ、プロセッサ、または専用回路などによって実現される。
【００５２】
第二記憶部１４は、半導体メモリなどの記憶装置である。例えば、制御装置１０と電球形ランプ２０とが無線のペアリングなどを行う場合には、第二記憶部１４には、電球形ランプ２０のアドレスなど、ペアリングに必要な情報が記憶される。また、例えば、第二制御部１３がプロセッサとして実現される場合、第二記憶部１４には、当該プロセッサにより実行されるプログラムが記憶される。第二記憶部１４には、表示部１１が表示する画像を表示するための画像情報が記憶されてもよい。
【００５３】
第二スピーカ１５は、第二制御部１３の制御に基づいて音を出力する。例えば、後述のように、第二スピーカ１５は、第二無線通信部１２が通知情報を受信した場合に、第二制御部１３の制御に基づいて警告音を出力する。
【００５４】
なお、制御装置１０が情報通信端末である場合には、制御装置１０は、インターネットを介して外部サーバと通信を行うための通信部をさらに備えてもよい。このような通信部は、例えば、情報通信端末を制御装置１０として動作させるためのプログラムをサーバから受信（ダウンロード）するような場合に使用される。
【００５５】
［動作例１］
次に、照明システム１００の動作例１について説明する。図４は、照明システム１００の動作例１のシーケンス図である。
【００５６】
まず、第一制御部２３は、発光モジュール２５を点灯させる（Ｓ１１）。そして、第一制御部２３は、発光モジュール２５の点灯中に、温度センサ３１が計測する電球形ランプ２０の温度を取得し（Ｓ１２）、取得した温度が所定温度以上であるか否かの判定を行う（Ｓ１３）。
【００５７】
所定温度は、温度センサ３１が設けられる位置によって異なるが、例えば、発光モジュール２５の温度が当該発光モジュール２５の動作保証温度以上になったときに、温度センサ３１の設置位置において想定される温度に設定される。所定温度は、言い換えれば、電球形ランプ２０が過昇温したことを示す温度に設定される。これにより、第一制御部２３は、発光モジュール２５の温度が動作保証温度以上になったときに、第一無線通信部２４に通知情報を送信させることができる。
【００５８】
第一制御部２３は、取得した温度が所定温度未満であると判定した場合（Ｓ１３でＮｏ）、温度センサ３１からの温度の取得を継続する（Ｓ１２）。一方で、第一制御部２３は、取得した温度が所定温度以上であると判定した場合（Ｓ１３でＹｅｓ）、電球形ランプ２０の温度が所定温度以上であることを示す通知情報を第一無線通信部２４に送信させる（Ｓ１４）。言い換えれば、第一制御部２３は、温度センサ３１が計測した電球形ランプ２０の温度が所定温度以上であることを検知した場合に、通知情報を第一無線通信部２４に送信させる。
【００５９】
そして、第一制御部２３は、第一スピーカ３３に警告音を出力させる（Ｓ１５）。警告音は、ブザー音であってもよいし、人間の声を模擬したボイス音であってもよく、どのような音であってもよい。
【００６０】
上記ステップＳ１４において送信された通知情報が第二無線通信部１２によって受信されると（Ｓ２１）、第二制御部１３は、受信された通知情報に基づいて表示部１１に画像を表示させる（Ｓ２２）。第二制御部１３は、例えば、第二記憶部１４にあらかじめ記憶された画像情報を読み出し、表示部１１に出力する。そして、表示部１１は、画像情報に応じた画像を表示する。図５は、動作例１において表示部１１に表示される画像の一例を示す図である。
【００６１】
図５に示されるように、表示部１１が表示する画像には、電球形ランプ２０の温度が高いことが少なくとも表示される。
【００６２】
なお、上述のように、所定温度は、電球形ランプ２０が過昇温したことを示す温度に設定されるが、このような状態は、電球形ランプ２０が当該電球形ランプ２０に適合していない照明器具に取り付けられている場合に起こりやすい。例えば、断熱性が高い場所に設けられている照明器具に、放熱対策が十分でない電球形ランプ２０が取り付けられた場合には、電球形ランプ２０が過昇温しやすい。
【００６３】
そこで、図５に示されるように、表示部１１が表示する画像には、電球形ランプ２０が取り付けられている照明器具が電球形ランプ２０に適合しているかどうかの確認をユーザに促すメッセージが含まれてもよい。
【００６４】
以上のように、照明システム１００においては、電球形ランプ２０は、電球形ランプ２０の温度が所定温度以上であることを検知した場合に、通知情報を制御装置１０に送信する。
【００６５】
これにより、電球形ランプ２０は、制御装置１０を通じてユーザに電球形ランプ２０の温度が高いことを通知することができる。つまり、電球形ランプ２０は、当該電球形ランプ２０が不具合が生じやすい状態で使用されていることを通知することができる。
【００６６】
なお、図５に示される画像は一例であり、ステップＳ２２において表示される画像は特に限定されない。一般的に、発光モジュール２５は、高温環境下で動作を行うと寿命が短くなる。そこで、ステップＳ２２において表示される画像には、電球形ランプ２０の寿命が短くなる旨のメッセージが含まれてもよい。図６は、電球形ランプ２０の寿命が短くなる旨のメッセージが含まれる画像の一例を示す図である。
【００６７】
図６に示されるような画像が表示されれば、ユーザは、電球形ランプ２０の寿命が温度上昇により縮まることを認識することができる。
【００６８】
なお、ステップＳ１５においては、第一スピーカ３３に加えて第二スピーカ１５から警告音が出力されてもよいし、第一スピーカ３３に代えて第二スピーカ１５から警告音が出力されてもよい。この場合、第二制御部１３は、通知情報に基づいて第二スピーカ１５に警告音を出力させる。また、警告音の出力は、必須ではなく、省略されてもよい。
【００６９】
［動作例２］
次に、照明システム１００の動作例２について説明する。図７は、照明システム１００の動作例２のシーケンス図である。なお、図７では、動作例１と同様のステップについては同一の符号が付され、詳細な説明は省略される。
【００７０】
動作例２では、電球形ランプ２０は、電球形ランプ２０の温度が所定温度以上であることを検知した場合に、さらなる温度上昇を抑制するために発光モジュール２５を消灯する。
【００７１】
具体的には、第一制御部２３は、電球形ランプ２０の温度が所定温度以上であることを示す通知情報を第一無線通信部２４に送信させ（Ｓ１４）、さらに、発光モジュール２５を消灯する（Ｓ１６）。
【００７２】
これにより、温度の高い状態で電球形ランプ２０が使用されないため、電球形ランプ２０の不具合の発生が抑制される。
【００７３】
上記ステップＳ１４において送信された通知情報が第二無線通信部１２によって受信されると（Ｓ２１）、第二制御部１３は、受信された通知情報に基づいて表示部１１に画像を表示させる（Ｓ２３）。図８に示されるように、ステップＳ２３において表示される画像においては、電球形ランプ２０の温度上昇に基づいて意図的に消灯したことが示されてもよい。図８は、動作例２において表示部１１に表示される画像の一例を示す図である。
【００７４】
図８に示されるような画像が表示されれば、ユーザは、電球形ランプ２０が故障ではなく意図的に消灯したことを認識することができる。
【００７５】
なお、ステップＳ２３において表示される画像においては、図８に示されるように、再度電球形ランプ２０を点灯するかどうかを確認するメッセージが含まれてもよい。図８に示される画像の「Ｙｅｓ」のボタンがユーザによって押下されると、第二制御部１３は、第二無線通信部１２に電球形ランプ２０の発光モジュール２５を点灯させるための制御信号を送信させる。送信された制御信号が第一無線通信部２４によって受信されると、第一制御部２３は、発光モジュール２５を点灯させる。
【００７６】
これにより、ユーザは、消灯された電球形ランプ２０を簡単に再点灯することができる。
【００７７】
［動作例３］
次に、照明システム１００の動作例３について説明する。図９は、照明システム１００の動作例３のシーケンス図である。なお、図９では、動作例１と同様のステップについては同一の符号が付され、詳細な説明は省略される。
【００７８】
動作例３では、電球形ランプ２０は、電球形ランプ２０の温度が所定温度以上であることを検知した場合に、さらなる温度上昇を抑制するために発光モジュール２５を元の明るさよりも暗く調光する。
【００７９】
具体的には、第一制御部２３は、電球形ランプ２０の温度が所定温度以上であることを示す通知情報を第一無線通信部２４に送信させ（Ｓ１４）、さらに、発光モジュール２５を暗く調光する（Ｓ１７）。
【００８０】
これにより、発光モジュール２５の温度を低下させることができ、電球形ランプ２０の不具合の発生が抑制される。
【００８１】
上記ステップＳ１４において送信された通知情報が第二無線通信部１２によって受信されると（Ｓ２１）、第二制御部１３は、受信された通知情報に基づいて表示部１１に画像を表示させる（Ｓ２４）。図１０に示されるように、ステップＳ２３において表示される画像においては、電球形ランプ２０の温度上昇に基づいて意図的に暗く調光されたことが示されてもよい。図１０は、動作例３において表示部１１に表示される画像の一例を示す図である。
【００８２】
図１０に示されるような画像が表示されれば、ユーザは、電球形ランプ２０が故障ではなく意図的に暗く調光されたことを認識することができる。
【００８３】
なお、ステップＳ２３において表示される画像においては、図１０に示されるように、電球形ランプ２０の明るさを、電球形ランプ２０が暗く調光される前の状態に戻すかどうかを確認するメッセージが含まれてもよい。図１０に示される画像の「Ｙｅｓ」のボタンがユーザによって押下されると、第二制御部１３は、第二無線通信部１２に電球形ランプ２０の発光モジュール２５を暗く調光される前の明るさで発光させるための制御信号を送信させる。送信された制御信号が第一無線通信部２４によって受信されると、第一制御部２３は、発光モジュール２５を暗く調光される前の明るさで発光させる。
【００８４】
これにより、ユーザは、暗く調光された電球形ランプ２０を、簡単に暗く調光される前の明るさで発光させることができる。
【００８５】
［変形例１］
照明システム１００において、第一制御部２３は、累積点灯時間が所定時間以上であることを検知した場合に、電球形ランプ２０の寿命に関する通知を行うための寿命通知情報を第一無線通信部２４に送信させてもよい。図１１は、照明システム１００の寿命通知動作のシーケンス図である。
【００８６】
まず、第一制御部２３は、タイマ部３２を用いて累積点灯時間を計測する（Ｓ３１）。第一制御部２３は、具体的には、発光モジュール２５が点灯している間にタイマ部３２から出力されるタイマ信号をカウントする。上述のようにタイマ信号は、単位時間ごとに出力されるため、カウント数と単位時間を乗算することよって発光モジュール２５の累積点灯時間を特定することができる。
【００８７】
次に、第一制御部２３は、温度センサ３１が計測した温度に応じて累積点灯時間を補正する（Ｓ３２）。第一制御部２３は、例えば、通常の温度環境下で発光モジュール２５が発光しているときには、１つのタイマ信号を１とカウントし、通常よりもやや温度が高い環境下で発光モジュール２５が発光しているときには、１つのタイマ信号を１．２とカウントする。第一制御部２３は、通常よりもかなり温度高い環境下で発光モジュール２５が発光しているときには、１つのタイマ信号を１．４とカウントする。つまり、第一制御部２３は、温度が高いときに計測された累積点灯時間ほど、大きな係数をかける補正を行う。言い換えれば、第一制御部２３は、通常の温度環境下で使用されたと仮定して累積点灯時間を換算する。
【００８８】
そして、第一制御部２３は、補正後の累積点灯時間が所定時間以上であるか否かの判定を行う（Ｓ３３）。
【００８９】
一般的に、電球形ランプ２０においては、通常の温度環境下で使用された場合の累積点灯時間の定格値が定められている。上記の所定時間は、どのように定められてもよいが、例えば、累積点灯時間の定格値よりも短い時間（例えば、累積点灯時間の定格値の９０％）に設定される。なお、所定時間は、累積点灯時間の定格値に設定されてもよい。
【００９０】
第一制御部２３は、補正後の累積点灯時間が所定時間未満であると判定した場合（Ｓ３３でＮｏ）、累積点灯時間の計測を継続する（Ｓ３１）。一方で、第一制御部２３は、補正後の累積点灯時間が所定時間以上であると判定した場合（Ｓ３３でＹｅｓ）、電球形ランプ２０の寿命に関する通知を行うための寿命通知情報を第一無線通信部２４に送信させる（Ｓ３４）。言い換えれば、第一制御部２３は、補正後の累積点灯時間が所定時間以上であることを検知した場合に、寿命通知情報を第一無線通信部２４に送信させる。
【００９１】
そして、第一制御部２３は、第一スピーカ３３に警告音を出力させる（Ｓ３５）。なお、警告音の出力は必須ではない。
【００９２】
上記ステップＳ３４において送信された寿命通知情報が第二無線通信部１２によって受信されると（Ｓ４１）、第二制御部１３は、受信された通知情報に基づいて表示部１１に画像を表示させる（Ｓ４２）。第二制御部１３は、例えば、第二記憶部１４にあらかじめ記憶された画像情報を読み出し、表示部１１に出力する。そして、表示部１１は、画像情報に応じた画像を表示する。図１２は、変形例１において表示部１１に表示される画像の一例を示す図である。
【００９３】
図１２に示されるように、ステップＳ４２において表示部１１が表示する画像には、電球形ランプ２０の交換時期が近づいている（寿命が近づいている）ことを示すメッセージが含まれる。また、所定時間が累積点灯時間の定格値に設定されている場合は、ステップＳ４２において表示部１１が表示する画像に、電球形ランプ２０の交換時期が過ぎている（寿命が満了している）ことを示すメッセージが含まれてもよい。
【００９４】
以上のように、照明システム１００においては、電球形ランプ２０は、発光モジュール２５の累積点灯時間が所定時間以上であることを検知した場合に、寿命通知情報を制御装置１０に送信する。
【００９５】
これにより、電球形ランプ２０は、制御装置１０を通じてユーザに電球形ランプ２０の交換時期が近づいている（寿命が近づいている）こと、または、電球形ランプ２０の交換時期が過ぎている（寿命が満了している）ことを通知することができる。
【００９６】
なお、ステップＳ４２において表示部１１が表示する画像には、補正後の累積点灯時間が含まれてもよい。この場合、寿命通知情報には、補正後の累積点灯時間を示す情報が含まれる。また、ステップＳ４２において表示部１１が表示する画像には、累積点灯時間の定格値から補正後の累積点灯時間を引いた残りの使用可能時間が含まれてもよい。この場合、寿命通知情報には、補正後の累積点灯時間を示す情報が含まれる。
【００９７】
これにより、ユーザは、補正後の累積点灯時間または残りの使用可能時間を認識することができる。
【００９８】
［変形例２］
電球形ランプ２０は、さらに、発光モジュール２５の劣化度を計測する計測部を備えてもよい。そして、第一制御部２３は、劣化度が所定の範囲外であることを検知した場合に、電球形ランプ２０の寿命に関する通知を行うための寿命通知情報を第一無線通信部２４に送信させてもよい。以下、このような電球形ランプ２０を備える、変形例２に係る照明システムについて説明する。図１３は、変形例２に係る照明システムの機能構成を示すブロック図である。なお、以下の変形例２の説明では、上述した照明システム１００と実質的に同一の構成要素の説明など、重複する説明が省略される。
【００９９】
図１３に示されるように、変形例２に係る照明システム１００ａは、電球形ランプ２０ａを備える。電球形ランプ２０ａは、計測部３４を備える。また、図１３では、発光モジュール２５を発光させるための回路部品３５も図示されている。なお、電球形ランプ２０ａにおいて、温度センサ３１は、必須ではない。
【０１００】
計測部３４は、発光モジュール２５の劣化度を計測する。以下、計測部３４による劣化度の計測方法について説明する。図１４は、発光モジュール２５の劣化度の計測方法を説明するための回路図である。
【０１０１】
図１４に示されるように、発光モジュール２５と抵抗Ｒ１とが直列に接続されている場合、劣化度として、ＶＩ／ＶＬＥＤによって算出される電圧比を用いることができる。ここで、ＶＩは、発光モジュール２５の点灯時に抵抗Ｒ１の両端に現れる電圧であり、ＶＬＥＤは、発光モジュール２５の点灯時に発光モジュール２５の両端に現れる電圧である。
【０１０２】
計測部３４は、まず、上記電圧比の初期値を計測する。計測された初期値は、第一制御部２３によって第一記憶部３０に記憶される。この初期値は、例えば、制御装置１０と電球形ランプ２０とが１回目のペアリングを行った後の一定期間に計測されるとよい。電圧比は、温度が安定した状態で計測されるほうがよく、例えば、１時間の間の電圧比の平均値が初期値として用いられるとよい。
【０１０３】
その後、計測部３４は、電圧比を所定の期間ごと（例えば、発光モジュール２５が点灯されるごと）に計測し、計測した電圧比を第一制御部２３に通知する。
【０１０４】
第一制御部２３は、電圧比の通知を受けると、電圧比が初期値よりも一定値以上上昇したか否かを検知する。第一制御部２３は、電圧比が初期値よりも一定値以上上昇したことを検知した場合、発光モジュール２５が劣化した（寿命を迎えた）と判断し、寿命通知情報を第一無線通信部２４に送信させる。言い換えれば、第一制御部２３は、電圧比が所定の範囲外であることを検知した場合に、寿命通知情報を第一無線通信部２４に送信させる。
【０１０５】
このように、第一制御部２３は、電圧比に基づいて発光モジュール２５が劣化したか否かを判断し、寿命通知情報を第一無線通信部２４に送信させることができる。なお、計測部３４は、例えば、電圧を計測する電圧センサ及び電圧の演算を行うプロセッサ等により実現される。
【０１０６】
また、計測部３４は、発光モジュール２５を発光させるための回路部品３５の劣化度を計測し、第一制御部２３は、劣化度が所定の範囲外であることを検知した場合に、寿命通知情報を第一無線通信部２４に送信させてもよい。以下、回路部品３５の一例である、コンデンサの劣化度の計測方法について説明する。図１５は、コンデンサの劣化度の計測方法を説明するための回路図である。図１６は、コンデンサの劣化度の計測方法を説明するためのグラフである。
【０１０７】
図１５に示されるように、コンデンサＣ１と抵抗Ｒ２とが直列に接続されている場合、劣化度として係数ＶＩ／ｔ１を用いることができる。ここで、ＶＩは、発光モジュール２５の点灯時に抵抗Ｒ２の両端に現れる電圧である。ｔ１は、図１６に模式的に示されるように、発光モジュール２５を消灯状態から点灯させたときに抵抗Ｒ２の両端に現れる電圧が基準電圧（例えば、０Ｖ）からＶＩに達するまでの時間である。
【０１０８】
計測部３４は、まず、上記係数の初期値を計測する。計測された初期値は、第一制御部２３によって第一記憶部３０に記憶される。この初期値は、例えば、制御装置１０と電球形ランプ２０とが１回目のペアリングを行った直後に計測されるとよい。
【０１０９】
その後、計測部３４は、係数を所定の期間ごと（例えば、発光モジュール２５が点灯されるごと）に計測し、計測した係数を第一制御部２３に通知する。
【０１１０】
第一制御部２３は、係数の通知を受けると、係数が初期値よりも一定値以上低下したか否かを検知する。第一制御部２３は、係数が初期値よりも一定値以上低下したことを検知した場合、コンデンサＣ１が劣化した（寿命を迎えた）と判断し、寿命通知情報を第一無線通信部２４に送信させる。言い換えれば、第一制御部２３は、上記係数が所定の範囲外であることを検知した場合に、寿命通知情報を第一無線通信部２４に送信させる。
【０１１１】
このように、第一制御部２３は、係数に基づいてコンデンサＣ１が劣化したか否かを判断し、寿命通知情報を第一無線通信部２４に送信させることができる。なお、この場合、計測部３４には、ｔ１を計測するタイマ部（タイマ回路など）が含まれる。
【０１１２】
なお、計測部３４は、コンデンサ以外の回路部品３５の劣化度を計測してもよい。例えば、計測部３４は、発光モジュール２５を発光させるためのインバータ回路に含まれるインダクタ（チョークコイル）の劣化度を計測してもよい。なお、当該インダクタから出力される交流電力は、整流回路によって整流された後、発光モジュール２５に供給される。
【０１１３】
この場合、発光モジュール２５の点灯時にインダクタの両端に現れる電圧ＶＩを劣化度として用いることができる。第一制御部２３は、計測部３４から通知される電圧ＶＩが所定の範囲外となったことを検知した場合に、インダクタが劣化した（寿命を迎えた）と判断し、寿命通知情報を第一無線通信部２４に送信させる。
【０１１４】
なお、上記インダクタの電圧ＶＩは、発光モジュール２５が調光される場合、つまり、インダクタから出力される電力が意図的に変えられる場合にも変動する。このような場合は、調光比ごとに判定基準（上記所定の範囲）が定められたテーブルが第一記憶部３０に記憶されるとよい。
【０１１５】
［効果等］
以上説明したように、発光モジュール２５を備える電球形ランプ２０は、電球形ランプ２０の温度を計測する温度センサ３１と、電球形ランプ２０の外部に設けられた制御装置１０と無線通信を行う第一無線通信部２４とを備える。電球形ランプ２０は、温度センサ３１が計測した電球形ランプ２０の温度が所定温度以上であることを検知した場合に、電球形ランプ２０の温度が所定温度以上であることを示す通知情報を第一無線通信部２４に送信させる第一制御部２３を備える。発光モジュール２５は、光源の一例であり、制御装置１０は、通信装置の一例である。第一無線通信部２４は、無線通信部の一例であり、第一制御部２３は、制御部の一例である。
【０１１６】
これにより、電球形ランプ２０は、制御装置１０を通じてユーザに電球形ランプ２０の温度が高いことを通知することができる。つまり、電球形ランプ２０は、当該電球形ランプ２０が不具合が生じやすい状態で使用されていることを通知することができる。
【０１１７】
また、第一制御部２３は、温度センサ３１が計測した電球形ランプ２０の温度が所定温度以上であることを検知した場合に、さらに、発光モジュール２５を消灯してもよい。
【０１１８】
これにより、温度の高い状態で電球形ランプ２０が使用されないため、電球形ランプ２０の不具合の発生が抑制される。
【０１１９】
また、第一制御部２３は、温度センサ３１が計測した電球形ランプ２０の温度が所定温度以上であることを検知した場合に、さらに、発光モジュール２５を暗く調光してもよい。
【０１２０】
これにより、発光モジュール２５の温度を低下させることができ、電球形ランプ２０の不具合の発生が抑制される。
【０１２１】
また、電球形ランプ２０は、さらに、第一スピーカ３３を備えてもよい。第一制御部２３は、温度センサ３１が計測した電球形ランプ２０の温度が所定温度以上であることを検知した場合に、通知情報を第一無線通信部２４に送信させ、さらに、第一スピーカ３３に出音させてもよい。第一スピーカ３３は、出音部の一例である。
【０１２２】
これにより、電球形ランプ２０は、制御装置１０を通じてユーザに電球形ランプ２０の温度が高いこと、及び、通知情報を送信したことなどを音により通知することができる。
【０１２３】
また、電球形ランプ２０は、さらに、発光モジュール２５の点灯時間を計測するためのタイマ部３２を備えてもよい。第一制御部２３は、さらに、タイマ部３２を用いて発光モジュール２５の累積点灯時間を計測し、温度センサ３１が計測した温度に応じて累積点灯時間を補正してもよい。そして、第一制御部２３は、補正後の累積点灯時間が所定時間以上であることを検知した場合に、電球形ランプ２０の寿命に関する通知を行うための寿命通知情報を第一無線通信部２４に送信させてもよい。
【０１２４】
これにより、電球形ランプ２０は、制御装置１０を通じてユーザに電球形ランプ２０の寿命が近づいていること、または、寿命が満了していることを通知することができる。
【０１２５】
また、上述した電球形ランプ２０ａは、発光モジュール２５の劣化度を計測する計測部３４を備える。第一制御部２３は、さらに、劣化度が所定の範囲外であることを検知した場合に、電球形ランプ２０ａの寿命に関する通知を行うための寿命通知情報を第一無線通信部２４に送信させてもよい。
【０１２６】
これにより、電球形ランプ２０ａは、制御装置１０を通じてユーザに電球形ランプ２０ａ（発光モジュール２５）の寿命が近づいていること、または、寿命が満了していることを通知することができる。
【０１２７】
また、上述した電球形ランプ２０ａは、発光モジュール２５を発光させるための回路部品３５の劣化度を計測する計測部３４を備える。第一制御部２３は、さらに、劣化度が所定の範囲外であることを検知した場合に、電球形ランプ２０ａの寿命に関する通知を行うための寿命通知情報を第一無線通信部２４に送信させてもよい。
【０１２８】
これにより、電球形ランプ２０ａは、制御装置１０を通じてユーザに電球形ランプ２０（回路部品３５）の寿命が近づいていること、または、寿命が満了していることを通知することができる。
【０１２９】
また、照明システム１００は、発光モジュール２５を備える電球形ランプ２０と、電球形ランプの外部に設けられた制御装置１０とを備える。制御装置１０は、通信装置の一例である。
【０１３０】
電球形ランプ２０は、電球形ランプ２０の温度を計測する温度センサ３１と、制御装置１０と無線通信を行う第一無線通信部２４とを備える。また、電球形ランプ２０は、温度センサ３１が計測した電球形ランプ２０の温度が所定温度以上であることを検知した場合に、電球形ランプ２０の温度が所定温度以上であることを示す通知情報を第一無線通信部２４に送信させる第一制御部２３を備える。
【０１３１】
制御装置１０は、表示部１１と、第一無線通信部２４が送信した通知情報を受信する第二無線通信部１２と、第二無線通信部１２が受信した通知情報に基づいて表示部１１に画像を表示させる第二制御部１３とを備える。
【０１３２】
これにより、電球形ランプ２０は、制御装置１０に表示された画像を通じてユーザに電球形ランプ２０の温度が高いことを通知することができる。つまり、電球形ランプ２０は、当該電球形ランプ２０が不具合が生じやすい状態で使用されていることを通知することができる。
【０１３３】
（その他の実施の形態）
以上、実施の形態に係る電球形ランプ、及び、照明システムについて説明したが、本発明は、上記実施の形態に限定されるものではない。
【０１３４】
例えば、上記実施の形態では、電球形ランプが通知情報を送信する通信装置として、電球形ランプの制御機能を有する制御装置が例示された。しかしながら、通信装置は、通知情報を受信できる機能を備えればよく、例えば、電球形ランプの制御機能を有しない装置などの他の装置であってもよい。
【０１３５】
また、通知情報は、ルータまたは情報通信端末（制御装置）の中継により、サーバに送信されてもよい。つまり、通信装置は、サーバであってもよい。例えば、電球形ランプの製造メーカに関連するサーバが、電球形ランプのシリアルナンバーを含む通知情報を受信すれば、製造メーカは、当該シリアルナンバーを有する電球形ランプが高温環境下で使用されていることを認識することができる。そうすると、製造メーカは、顧客情報などに基づいて、当該シリアルナンバーを有する電球形ランプを使用しているユーザに使用環境の改善を提案することができる。また、当該シリアルナンバーを有する電球形ランプが故障などにより返品された際に、製造メーカは、高温環境下で使用されたことが一因であると判断できる。
【０１３６】
また、通知情報の送信は、温度センサが計測した温度に応じて２段階以上に分けて行われてもよい。例えば、第一制御部は、温度センサが計測した電球形ランプの温度が第一所定温度以上であることを検知した場合に、第一通知情報を第一無線通信部に送信させる。その後、第一制御部は、温度センサが計測した電球形ランプの温度が第一所定温度よりも高い第二所定温度以上であることを検知した場合に、第二通知情報を第一無線通信部に送信させてもよい。この場合、第一通知情報を受信した制御装置は、図５に示されるような画像を表示し、第二通知情報を受信した制御装置は、図１０に示されるような画像を表示し、かつ、電球形ランプを暗く調光するための制御信号を送信する。
【０１３７】
また、上記実施の形態では、本発明は、電球形ランプとして実現されたが、他の照明用光源として実現されてもよい。例えば、電球形ランプが有する口金のような規格化された構造の受電部（口金）を有する、他の照明用光源として実現されてもよい。
【０１３８】
また、上記実施の形態では、電球形ランプに用いる発光素子としてＬＥＤ素子（ＬＥＤチップ）が例示された。しかしながら、半導体レーザ等の半導体発光素子、または、有機ＥＬ（Ｅｌｅｃｔｒｏ  Ｌｕｍｉｎｅｓｃｅｎｃｅ）もしくは無機ＥＬ等のＥＬ素子等の他の種類の固体発光素子が、発光素子として採用されてもよい。
【０１３９】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１４０】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１４１】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、照明システムが実行する照明制御方法として実現されてもよい。
【０１４２】
また、上記実施の形態において説明された照明システムの動作における複数の処理の順序は一例である。複数の処理の順序は、変更されてもよいし、複数の処理は、並行して実行されてもよい。
【０１４３】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１４４】
１０  制御装置
１１  表示部
１２  第二無線通信部
１３  第二制御部
２０、２０ａ  電球形ランプ
２３  第一制御部（制御部）
２４  第一無線通信部（無線通信部）
２５  発光モジュール（光源）
３１  温度センサ
３２  タイマ部
３３  第一スピーカ（出音部）
３４  計測部
３５  回路部品
１００、１００ａ  照明システム
【図１】
2017091622.tif 000003
【図２】
2017091622.tif 000004
【図３】
2017091622.tif 000005
【図４】
2017091622.tif 000006
【図５】
2017091622.tif 000007
【図６】
2017091622.tif 000008
【図７】
2017091622.tif 000009
【図８】
2017091622.tif 000010
【図９】
2017091622.tif 000011
【図１０】
2017091622.tif 000012
【図１１】
2017091622.tif 000013
【図１２】
2017091622.tif 000014
【図１３】
2017091622.tif 000015
【図１４】
2017091622.tif 000016
【図１５】
2017091622.tif 000017
【図１６】
2017091622.tif 000018